(57)【要約】【課題】マグネットセンサーにおいて、マグネット部の全体の厚みを薄くて、簡単な構造にする。【解決手段】リードスイッチ部とマグネット部Ｍから構成され、上記マグネット部Ｍに内蔵されたマグネット１の磁性を上記リードスイッチ部で検知し、窓、扉等の開閉を検知するためのマグネットセンサーにおいて、上記マグネット部Ｍは、薄板状に形成されたマグネット１と、このマグネット１が収納される収納孔部２１を設け、且つ、上記窓、扉等に固定するための取付孔２２が形成された取付ベース２と、上記マグネット１の表面側に少なくとも被着され、且つ、このマグネット１を上記取付ベース２に固着するカバーシート３と、より構成する。【選択図】図１
2004285688.tif 000002
【特許請求の範囲】
【請求項１】
リードスイッチ部とマグネット部から構成され、上記マグネット部に内蔵されたマグネットの磁性変化を上記リードスイッチ部で検知し、窓、扉等の開閉を検知するためのマグネットセンサーにおいて、
上記マグネット部は、
薄板状に形成されたマグネットと、
このマグネットが収納される収納孔部を設け、且つ、上記窓、扉等に固定するための取付孔が形成された取付ベースと、
上記マグネットの表面側に少なくとも被着され、且つ、このマグネットを上記取付ベースに固着するカバーシートと、
より構成したことを特徴とするマグネットセンサー。
【請求項２】
請求項１において、
上記カバーシートの表面には、更にラベルシートを被覆していることを特徴とするマグネットセンサー。
【請求項３】
請求項１又は２の何れかにおいて、
上記取付ベースの上記収納孔部には、上記マグネットの抜出し防止用凹段部を形成していることを特徴とするマグネットセンサー。
【請求項４】
リードスイッチ部とマグネット部から構成され、上記マグネット部に内蔵されたマグネットの磁性の変化を上記リードスイッチ部で検知し、窓、扉等の開閉を検知するためのマグネットセンサーにおいて、
上記マグネット部は、
板状に形成されたマグネットと、
上記窓、扉等に固定するための取付孔が形成されたシート状の取付板と、
上記マグネットの表面側を少なくとも被覆し、このマグネットを取付板に固着するカバーシートと、
より構成したことを特徴とするマグネットセンサー。
【請求項５】
リードスイッチ部とマグネット部から構成され、上記マグネット部に内蔵されたマグネットの磁性の変化を上記リードスイッチ部で検知し、窓、扉等の開閉を検知するためのマグネットセンサーにおいて、
上記マグネット部は、
板状に形成されたマグネットと、
このマグネットの表面側を少なくとも被覆し、且つ、上記窓、扉等に固定するための取付孔が形成されたカバーシートと、
より構成したことを特徴とするマグネットセンサー。
【請求項６】
請求項５において、
上記カバーシートは、アルミ板等の非磁性材で形成したことを特徴とするマグネットセンサー。
【請求項７】
請求項１〜６の何れかにおいて、
上記取付板、上記取付ベース又は上記カバーシートの底面側には、固定用の粘着テープを設けたことを特徴にしているマグネットセンサー。
【請求項８】
請求項１〜７の何れかにおいて、
上記取付孔は、１つであることを特徴とするマグネットセンサー。
【発明の詳細な説明】
【０００１】
【発明の属する技術分野】
本発明は、窓、扉等の開閉を検知するためのマグネットセンサーに関する。
【０００２】
【従来の技術】
従来、窓、扉等の開閉を検知するためのマグネットセンサーは、リードスイッチ部とマグネット部から構成されている。
【０００３】
ここに、リードスイッチ部は、ケーシング内にリードスイッチが内蔵されたもので、マグネット部は、ケーシング内にマグネットが内蔵されたものである。
【０００４】
このようなセンサーでは、上記リードスイッチ部を窓枠等である固定体に取付け、このリードスイッチ部と近接する位置の窓、扉等である移動体に、上記マグネット部を取付けたうえで、上記リードスイッチ部に通電すれば、窓、扉等が開閉したときに上記マグネット部と上記リードスイッチ部とが接離することによって、マグネット部に内蔵されているマグネットの磁性が変化することで上記リードスイッチが接触又は非接触されて、ブザー等を鳴動し、上記窓、扉等の開閉状態を検知するようになっている（特許文献１参照）。
【０００５】
【特許文献１】
特開平６−１９６０６０号公報（特に、第１７図）
【発明が解決しようとする課題】
しかし、これらリードスイッチ部及びマグネット部は、何れもそのケーシングを樹脂成形されていた為、ケーシング全体に厚さを有する構造になっている。
【０００６】
そのため、例えば、従来のマグネットセンサーを引き違い窓、扉に取付けた場合、一方の窓、扉に取付けられた上記マグネット部の厚みによって、他方の窓、扉を開放したときに、この他方の窓、扉がマグネット部に当接してしまい、他方の窓、扉を完全にすれ違いできないという問題があった。
【０００７】
本発明は、このような事情に鑑みて、マグネット部の全体の厚みを薄い構造にすることで、例えば、引き違い窓、扉に取付けたときでも、その窓、扉等の完全なすれ違いのできるマグネットセンサーを提供することを目的としている。
【０００８】
【課題を解決するための手段】
上記目的を達成するため、
請求項１に係るマグネットセンサーは、リードスイッチ部とマグネット部から構成され、上記マグネット部に内蔵されたマグネットの磁性変化を上記リードスイッチ部で検知し、窓、扉等の開閉を検知するためのマグネットセンサーにおいて、上記マグネット部は、薄板状に形成されたマグネットと、このマグネットが収納される収納孔部を設け、且つ、上記窓、扉等に固定するための取付孔が形成された取付ベースと、上記マグネットの表面側に少なくとも被着され、且つ、このマグネットを上記取付ベースに固着するカバーシートと、より構成したことを特徴とする。
【０００９】
このものでは、取付ベースの収納孔部にマグネットを収納し、表面側からカバーシートを貼付して、マグネットを取付ベースと固着一体化した構造にしている。
【００１０】
そのため、従来のようなケーシングを不要にして、マグネット部の全体の厚みを薄くすることができ、例えば、これを引き違い窓、扉に取付けたときでも、窓、扉がマグネット部に当接することがなく、完全なすれ違いを行うことができる。
【００１１】
請求項２に係るマグネットセンサーは、請求項１において、上記カバーシートの表面には、更にラベルシートを被覆していることを特徴とする。
【００１２】
このものでは、ラベルシートを被覆するだけで、色調、デザイン等の表現を自由にでき、商品の品番、用途、機能などを記した銘板の代用とすることができる。
【００１３】
請求項３に係るマグネットセンサーは、請求項１又は２の何れかにおいて、上記取付ベースの上記収納孔部には、上記マグネットの抜出し防止用凹段部を形成していることを特徴とする。
【００１４】
このものでは、収納孔部の両端部や両側端部に、マグネットの抜出し防止用凹段部を形成しているので、マグネットの抜出しを防止できるうえ、上記カバーシートを不要にできる。
【００１５】
請求項４に係るマグネットセンサーは、リードスイッチ部とマグネット部から構成され、上記マグネット部に内蔵されたマグネットの磁性の変化を上記リードスイッチ部で検知し、窓、扉等の開閉を検知するためのマグネットセンサーにおいて、上記マグネット部は、板状に形成されたマグネットと、上記窓、扉等に固定するための取付孔が形成されたシート状の取付板と、上記マグネットの表面側を少なくとも被覆し、このマグネットを取付板に固着するカバーシートと、より構成したことを特徴とする。
【００１６】
このものでは、取付板にマグネットを載置し、表面側からカバーシートを被覆して、マグネットを取付板に固着した構造にしている。
【００１７】
そのため、従来のようなケーシングを不要にして、マグネット部の全体の厚みを薄くすることができ、例えば、これを引き違い窓、扉に取付けたときでも、窓、扉がマグネット部に当接することがなく、完全なすれ違いを行うことができる。
【００１８】
請求項５に係るマグネットセンサーは、リードスイッチ部とマグネット部から構成され、上記マグネット部に内蔵されたマグネットの磁性の変化を上記リードスイッチ部で検知し、窓、扉等の開閉を検知するためのマグネットセンサーにおいて、上記マグネット部は、板状に形成されたマグネットと、このマグネットの表面側を少なくとも被覆し、且つ、上記窓、扉等に固定するための取付孔が形成されたカバーシートと、より構成したことを特徴とする。
【００１９】
このものでは、マグネットの表面側からカバーシートを被覆した構造にしている。
【００２０】
そのため、従来のようなケーシングを不要にして、マグネット部の全体の厚みを薄くすることができ、例えば、これを引き違い窓、扉に取付けたときでも、窓、扉がマグネット部に当接することがなく、完全なすれ違いを行うことができる。
【００２１】
請求項６に係るマグネットセンサーは、請求項５において、上記カバーシートは、アルミ板等の非磁性材で形成したことを特徴とする。
このものでは、カバーシートをアルミなどの非磁性材で形成することで、製造、加工が容易であり、マグネットの磁性に影響を与えず、その誤動作を防止できる。
【００２２】
請求項７に係るマグネットセンサーは、請求項１〜６の何れかにおいて、上記取付板、上記取付ベース又は上記カバーシートの底面側には、固定用の粘着テープを設けたことを特徴とする。固定用の粘着テープは両面粘着テープが使用できる。
【００２３】
このものでは、取付板、取付ベース又はカバーシートの底面側に固定用の粘着テープを設けているので、これらを仮固定できるうえ、これらの取付孔にネジ等を固定したときの固定力を高めることもできる。
【００２４】
請求項８に係るマグネットセンサーは、請求項１〜７の何れかにおいて、上記取付孔は、１つであることを特徴とする。
【００２５】
このものでは、取付孔を１つにして、ネジ等による固定作業を早くできる。
【００２６】
【発明の実施の形態】
以下、本発明に係るマグネットセンサーを図面とともに説明する。
【００２７】
図１（ａ）〜（ｃ）は、本発明に係るマグネットセンサーの一実施例を示す全体図であり、（ａ）は、部分断面図を付記して、一部破断した状態の全体正面図、（ｂ）は、（ａ）の中央縦断面図、（ｃ）は、背面から見て一部破断した状態の全体背面図である。
【００２８】
図２は、収納孔部の他の実施例を示す部分断面図を付記した全体正面図である。
【００２９】
このマグネットセンサーは、リードスイッチ部（不図示）とマグネット部Ｍから構成され、このうち、上記リードスイッチ部（不図示）は、従来のものを、そのまま採用できる。
【００３０】
マグネット部Ｍは、薄板状に形成されたマグネット１と、このマグネット１が収納される収納孔部２１を設け、且つ、窓、扉等に固定するための取付孔２２が形成された取付ベース２と、マグネット１の表面側に被着され、このマグネット１を取付ベース２に固着するカバーシート３と、より構成された構造のものである。
【００３１】
ここに、マグネット１は、薄板状に形成された一般的なものであり、取付用の孔等は形成されていない。
【００３２】
また、取付ベース２は、矩形状の樹脂板の両側に、表面に向けて拡開させたラッパ状の取付孔２２を開設すると共に、その中央には、マグネット１を収納可能なように、このマグネット１と略同形の収納孔部２１を形成している。
【００３３】
ここでの収納孔部２１は、マグネット１と略同厚の取付ベース２を用いているため、単なる貫通孔であるが、この収納孔部２１の表面側の全周縁には、内側に向けて、図２で示すようなマグネット１の抜出し防止用凹段部２３を形成しても良く、このような抜出し防止用凹段部２３を形成すれば、収納孔部２１の表面に形成された開口から、マグネット１を露見させたときにも、抜け落ちることが防止できる。
しかも、このような抜出し防止用凹段部２３を形成すれば、抜出し防止用凹段部２３の厚みによって、マグネット１の表面が、取付ベース２の表面よりも内側に凹んだ位置に設置されることによって、マグネット１の表面が保護されるので、カバーシート３を不要にできる。
【００３４】
このように収納孔部２１に収納されたマグネット１の表面側から、裏面に粘着剤を備えたカバーシート３を貼付して、マグネット１を取付ベース２と固着一体化している。
【００３５】
また、本実施例の取付ベース２は、このようなカバーシート３を貼付することで、その表面側が面一となるように、カバーシート３の厚み分だけを凹ませて形成することで、全体の厚みをより薄く形成できる。
【００３６】
また、カバーシート３は、マグネット１と取付ベース２とを固着一体化する効果に加え、その表面からのフラットな質感によって、良好な表面状態を得ることもできる。
【００３７】
更に、本実施例では、カバーシート３の表面から、全体を巻き付けるようにして貼着したラベルシート４で更に被覆している。
【００３８】
このラベルシート４は、例えば、それ自体にロゴマークなどの図形や模様、文字等を予め記載しておけば、このラベルシート４を被覆するだけで、マグネット部Ｍ全体の色調、デザイン等の表現を自由にでき、商品の品番、用途、機能などを記した銘板の代用とすることが簡単にできる。
【００３９】
なお、カバーシート３自体に、これらデザイン等の表現を備えたものであれば、図３で示すように、図１で示したラベルシート４を省略することも可能である。
【００４０】
また、取付ベース２又はラベルシート４の底面側には、固定用の粘着テープ５を設けている。
【００４１】
この粘着テープ５は、両面テープなどを用い、その一面をラベルシート４の背面に貼着し、他面には剥離紙を設けておいて、使用時には、その剥離紙を取外してマグネット部Ｍを窓、扉等である上記移動体に貼着するようにしている。
【００４２】
このような構造のマグネット部Ｍによれば、従来のようなケーシングを不要にできるため、マグネット部Ｍの全体の厚みを薄くすることができる。
【００４３】
そのため、例えば、これを引き違い窓、扉に取付けたときでも、窓、扉がマグネット部Ｍに当接することがなく、完全なすれ違いを行うことができる。
【００４４】
図４は、本発明に係るマグネットセンサーの他の実施例を示す部分断面図を付記して、一部破断した状態の全体正面図である。
【００４５】
ここで、図１〜図３と共通する部位には、同一の番号を付し、その説明は省略する。
【００４６】
このマグネット部Ｍは、板状に形成されたマグネット１と、上記窓、扉等に固定するための取付孔２２が形成されたシート状の取付板６と、マグネット１の表面側を少なくとも被覆し、このマグネット１を取付板６に固着するカバーシート３と、より構成された構造のものである。
【００４７】
このものは、マグネット１をシート状の取付板６の中央に設置し、そのマグネット１の表面側から、裏面に粘着剤を備えたカバーシート３を貼付して、マグネット１を取付板６と固着一体化している。
【００４８】
このような構造のマグネット部Ｍによれば、従来のようなケーシングを不要にできるため、マグネット部Ｍの全体の厚みを、より薄くすることができる。
【００４９】
そのため、例えば、これを引き違い窓、扉に取付けたときでも、窓、扉がマグネット部Ｍに当接することがなく、完全なすれ違いを行うことができる。
【００５０】
図５は、本発明に係るマグネットセンサーの更に他の実施例を示す部分断面図を付記して、一部破断した状態の全体正面図である。
【００５１】
ここで、図１〜図４と共通する部位には、同一の番号を付し、その説明は省略する。
【００５２】
このマグネット部Ｍは、板状に形成されたマグネット１と、このマグネット１の表面側を少なくとも被覆し、且つ、上記窓、扉等に固定するための取付孔２２が形成されたカバーシート３と、より構成された構造のものである。
【００５３】
このものは、マグネット１の表面側から、裏面に粘着剤を備えたカバーシート３を貼付して、マグネット１と固着一体化している。
【００５４】
また、カバーシート３は、マグネット１の長手方向の両端に延設された粘着舌片３１を形成しており、この粘着舌片３１の背面側に上記剥離紙を設けておいて、使用時には、その剥離紙を取外して上記窓、扉等にカバーシート３を貼着すれば良い。
【００５５】
このような構造のマグネット部Ｍによれば、図４で示された取付板６を不要にしているため、マグネット部Ｍの全体の厚みを、より薄くすることができる。
【００５６】
そのため、例えば、これを引き違い窓、扉に取付けたときでも、窓、扉がマグネット部Ｍに当接することがなく、完全なすれ違いを行うことができる。
【００５７】
また、このカバーシート３は、樹脂製シートやアルミ板等の非磁性材で形成することによって、製造、加工を容易にして、マグネット１の磁性に影響を与えず、マグネットセンサーの誤動作を防止できる。
【００５８】
図６は、本発明の取付孔の他の実施例を示す部分断面図を付記して、一部破断した状態の全体正面図である。
【００５９】
ここで、図１〜図５と共通する部位には、同一の番号を付し、その説明は省略する。
【００６０】
このマグネット部Ｍは、図１〜図５で示されていた取付孔２２を、１つのみ形成した構造のものである。
【００６１】
このような構造のマグネット部Ｍによれば、取付孔２２が１つであるので、ネジ等による固定作業を早くできる。
【００６２】
もっとも、取付孔２２を１つにしたものでは、その背面に粘着テープ５を設けておくことが望ましい。
【００６３】
なお、本実施例で示したカバーシート３、ラベルシート４或いは粘着テープ５には、必要に応じて、取付ベース２の取付孔２２と対応する位置に、予め取付孔２２と同様の孔を開設しておいても良い。
【００６４】
【発明の効果】
本発明によれば、次のような効果がある。
【００６５】
請求項１に係るマグネットセンサーによれば、取付ベースの収納孔部にマグネットを収納し、表面側からカバーシートを貼付して、マグネットを取付ベースと固着一体化した構造にしている。
【００６６】
そのため、従来のようなケーシングを不要にして、マグネット部の全体の厚みを薄くすることができ、例えば、これを引き違い窓、扉に取付けたときでも、窓、扉がマグネット部に当接することがなく、完全なすれ違いを行うことができる。
【００６７】
請求項２に係るマグネットセンサーによれば、ラベルシートを被覆するだけで、色調、デザイン等の表現を自由にでき、商品の品番、用途、機能などを記した銘板の代用とすることができる。
【００６８】
請求項３に係るマグネットセンサーによれば、収納孔部の両端部や両側端部に、マグネットの抜出し防止用凹段部を形成しているので、マグネットの抜出しを防止できるうえ、上記カバーシートを不要にできる。
【００６９】
請求項４に係るマグネットセンサーによれば、取付板にマグネットを載置し、表面側からカバーシートを被覆して、マグネットを取付板を固着した構造にしている。
【００７０】
そのため、従来のようなケーシングを不要にして、マグネット部の全体の厚みを薄くすることができ、例えば、これを引き違い窓、扉に取付けたときでも、窓、扉がマグネット部に当接することがなく、完全なすれ違いを行うことができる。
【００７１】
請求項５に係るマグネットセンサーによれば、マグネットの表面側からカバーシートを被覆した構造にしている。
【００７２】
そのため、従来のようなケーシングを不要にして、マグネット部の全体の厚みを薄くすることができ、例えば、これを引き違い窓、扉に取付けたときでも、窓、扉がマグネット部に当接することがなく、完全なすれ違いを行うことができる。
【００７３】
請求項６に係るマグネットセンサーによれば、カバーシートをアルミニウムなどの非磁性材で形成することで、マグネットの磁性に影響を与えず、その誤動作を防止できる。
【００７４】
請求項７に係るマグネットセンサーによれば、取付板、取付ベース又はカバーシートの底面側に固定用の粘着テープを設けているので、これらを仮固定できるうえ、これらの取付孔にネジ等を固定したときの固定力を高めることもできる。
【００７５】
請求項８に係るマグネットセンサーによれば、取付孔を１つにして、ネジ等による固定作業を早くできる。
【図面の簡単な説明】
【図１】（ａ）〜（ｃ）は、本発明に係るマグネットセンサーの一実施例を示す全体図であり、（ａ）は、部分断面図を付記して、一部破断した状態の全体正面図、（ｂ）は、（ａ）の中央縦断面図、（ｃ）は、背面から見て一部破断した状態の全体背面図である。
【図２】収納孔部の他の実施例を示す部分断面図を付記した全体正面図である。
【図３】図１のラベルシートを省略した状態の全体正面図である。
【図４】本発明に係るマグネットセンサーの他の実施例を示す部分断面図を付記して、一部破断した状態の全体正面図である。
【図５】本発明に係るマグネットセンサーの更に他の実施例を示す部分断面図を付記して、一部破断した状態の全体正面図である。
【図６】本発明の取付孔の他の実施例を示す部分断面図を付記して、一部破断した状態の全体正面図である。
【符号の説明】
Ｍ      マグネット部
１    マグネット
２      取付ベース
２１  収納孔部
２２  取付孔
２３  抜出し防止用凹段部
３    カバーシート
４    ラベルシート
５    粘着テープ
６    取付板
【図１】
2004285688.tif 000003
【図２】
2004285688.tif 000004
【図３】
2004285688.tif 000005
【図４】
2004285688.tif 000006
【図５】
2004285688.tif 000007
【図６】
2004285688.tif 000008